(57)【要約】【課題】製造が容易で量産性に優れ、かつ簡単に壁面に取り付けられる緑化パネルの構成を得る。【解決手段】緑化パネル１０は、緑化パネル１０を壁面に取り付けるための取付領域１４を周辺に有する支持板１１と、支持板１１上に敷かれる栽植マット１３と、栽植マット１３を覆うように支持板１１に固定される保持網１２とを備える。【選択図】図１
2012205529.tif 000002
【特許請求の範囲】
【請求項１】
緑化パネルであって、
前記緑化パネルを壁面に取り付けるための取付領域を周辺に有する支持板と、
前記支持板上に敷かれる栽植マットと、
前記栽植マットを覆うように前記支持板に固定される保持網とを備える、緑化パネル。
【請求項２】
請求項１に記載の緑化パネルであって、
前記保持網は、植物の茎を通すための切り込みを有する、緑化パネル。
【請求項３】
請求項１に記載の緑化パネルであって、
前記保持網は、
互いに並行して配置され、各々が前記支持板に固定される複数の網片を含む、緑化パネル。
【請求項４】
請求項１〜３のいずれか１項に記載の緑化パネルであって、
前記栽植マットは、
前記支持板上に敷かれる第１のシートと、
前記第１のシート上に積層され、植物の茎を通すための切り込みを有する第２のシートとを含む、緑化パネル。
【発明の詳細な説明】
【技術分野】
【０００１】
本発明は、緑化パネルに関し、さらに詳しくは、建造物の壁面緑化に用いられる緑化パネルに関する。
【背景技術】
【０００２】
ヒートアイランド現象の緩和や室内熱環境の改善のため、主に都市部において、壁面緑化が推進されている。緑化パネルを用いた壁面緑化は、早期の緑化が可能であり、意匠性にも優れている。
【０００３】
特許文献１には、矩形の枠体の表面の収納凹部に植生パッドが収納され、該植生パッドの表面を覆うネットが枠体に取り付けられ、この枠体の上下部には収納凹部に連通した灌水用通水口が設けられ、枠体の裏面には定着アンカーが突設されたことを特徴とする壁面緑化パネルが開示されている。
【０００４】
また特許文献２には、複数の貫通孔が形成された一対の板状部材と、上記一対の板状部材の間にて挟持され、保水性を有する材料により形成された植物定着用の定着部材とを備えることを特徴とする、サンドイッチ構造の緑化パネルが開示されている。
【先行技術文献】
【特許文献】
【０００５】
【特許文献１】特開２０１０−１９３７４１号公報
【特許文献２】特開２０１０−１９３８４５号公報
【発明の概要】
【発明が解決しようとする課題】
【０００６】
大面積の壁面緑化を行うためには、緑化パネルの構造はできるだけ単純で、かつ、壁面に簡単に取り付けられることが望ましい。
【０００７】
本発明の目的は、製造が容易で量産性に優れ、かつ壁面に簡単に取り付けられる緑化パネルを提供することである。
【課題を解決するための手段】
【０００８】
本発明による緑化パネルの構成は、緑化パネルであって、緑化パネルを壁面に取り付けるための取付領域を周辺に有する支持板と、支持板上に敷かれる栽植マットと、栽植マットを覆うように支持板に固定される保持網とを備える。
【０００９】
上記の構成によれば、支持板は緑化パネルを壁面に取り付けるための取付領域を有する。これにより、緑化パネルを壁面に簡単に取り付けることができる。また、支持板、栽植マット、および保持網はほとんど加工を要さない。これにより、緑化パネルは、製造が容易で量産性に優れる。
【００１０】
本発明による緑化パネルにおいて、保持網は、植物の茎を通すための切り込みを有しても良い。
【００１１】
上記の構成によれば、切り込みを通して、植物を植え付けることができる。
【００１２】
また、本発明による緑化パネルにおいて、保持網は、互いに並行して配置され、各々が支持板に固定される複数の網片を含んでも良い。
【００１３】
上記の構成によれば、植物の配置がより効率的に行える。
【００１４】
また、本発明による緑化パネルにおいて、栽植マットは、支持板上に敷かれる第１のシートと、第１のシート上に積層され、植物の茎を通すための切り込みを有する第２のシートとを含んでも良い。
【００１５】
上記の構成によれば、より植物が乾燥しにくく、かつ、植物が根付き易い緑化マットの構成を得られる。
【発明の効果】
【００１６】
本発明によれば、製造が容易で量産性に優れ、かつ壁面に簡単に取り付けられる緑化パネルの構成を得られる。
【図面の簡単な説明】
【００１７】
【図１】本発明の第１の実施形態による緑化パネルの概略構成を示す分解斜視図である。
【図２】図１に示される緑化パネルの正面図である。
【図３】図２におけるＩＩＩ−ＩＩＩ線に沿った断面図である。
【図４】図１〜図３に示される緑化パネルの使用状態を示す正面図である。
【図５】図４におけるＶ−Ｖ線に沿った断面図であって、植物の根を正面視において、（ａ）栽植マットの手前に配置した場合と、（ｂ）栽植マットの奥に配置した場合を示す図である。
【図６】図１〜図３に示される緑化パネルを壁面緑化装置に取り付けた状態を示す斜視図である。
【図７】本発明の第２の実施形態による緑化パネルの概略構成を示す断面図である。
【図８】本発明の第２の実施形態による緑化パネルに植物を植え付けた状態を示す断面図である。
【図９】本発明の第３の実施形態による緑化パネルの概略構成を示す正面図である。
【図１０】本発明の第３の実施形態による緑化パネルの使用状態を示す正面図である。
【図１１】本発明の第４の実施形態による緑化パネルの使用状態を示す正面図である。
【発明を実施するための形態】
【００１８】
以下、図面を参照し、本発明の実施の形態を詳しく説明する。図中同一または相当部分には同一符号を付してその説明は繰り返さない。
【００１９】
[第１の実施形態]
図１は、本発明の第１の実施形態による緑化パネル１０の概略構成を示す分解斜視図である。緑化パネル１０は、緑化パネル１０を壁面に取り付けるための取付領域１４を周辺に有する支持板１１と、支持板１１上に敷かれる栽植マット１３と、栽植マット１３を覆うように支持板１１に固定される保持網１２とを備えている。
【００２０】
支持板１１は、図１では平板であるが、湾曲していても構わない。栽植マット１３は、支持板１１よりも一回り小さく形成されている。正面視で支持板１１が栽植マット１３からはみ出す部分が、取付領域１４を形成している。図１では、支持板１１の周囲の４辺に取付領域１４が形成されている。しかし取付領域１４は、支持板１１の周囲のいずれかの辺に形成されていれば良く、対向する２辺に形成されていても、１辺のみに形成されていても構わない。
【００２１】
図２は、図１に示される緑化パネル１０の正面図である。図３は、図２におけるＩＩＩ−ＩＩＩ線に沿った断面図である。保持網１２は、栽植マット１３を覆うようにして、支持板１１に固定されている。本実施形態では、保持網１２の周縁部が全周にわたって、支持板１１に固定されている。これにより、栽植マット１３が、支持板１１と保持網１２とにより挟持されている。
【００２２】
なお、必ずしも保持網１３の周縁部の全周が支持板１１に固定されている必要はないが、栽植マット１３が脱落しない程度に、支持板１１と保持網１２とが固定されていることが好ましい。また、支持板１１と保持網１２とに加えて、支持板１１と栽植マット１３とが別途固定されていても良く、保持網１２と栽植マット１３とが別途固定されていても良い。
【００２３】
図２に示すように、取付領域１４の正面視上端部および下端部には、保持網１２で覆われていない領域が設けられている。これは緑化パネル１０を、後述する壁面緑化装置９０（図６）にタッピングビス等で固定する際に、保持網１２と干渉することを避けるためである。なお、これは任意の構成であって、このような領域は設けられていなくても良い。
【００２４】
緑化パネル１０は、後述するように、植物を定着させて、定着させた植物に灌水を行って使用するものである。そのため、緑化パネル１０を構成する支持板１１、保持網１２、および栽植マット１３は、耐水性を備えていることが望ましい。また、緑化パネル１０は、屋外で使用される場合もある。そのため、緑化パネル１０を構成する支持板１１、保持網１２、および栽植マット１３は、耐候性を備えていることが望ましい。
【００２５】
支持板１１は、耐水性があり、形状を保てる程度の強度があるものを用いることができる。例えば、アクリル、硬質塩化ビニール、低発泡塩化ビニール、ポリエチレン、ポリプロピレン、ポリスチレン、ポリエチレンテレフタレート、またはポリカーボネート等の各種プラスチック製の板や、プラスチック段ボール（ポリプロピレン製中空シート）、ベニヤ板、ブリキ板等を用いることができる。この中でもプラスチック、特にポリプロピレン製の板が、軽量であることや安価に入手できることから好適に用いられる。なお、環境への配慮から、再生プラスチックを用いたものが好ましい。このような支持板１１の具体例として、株式会社アイテクノス製のリプラウッド（登録商標）を用いることができる。
【００２６】
保持網１２は、耐水性があり、形状を保てる程度の強度があることに加えて、水をよく通すものであることが望ましい。例えばプラスチック、金属、または布製の網を用いることができる。この中でもプラスチック製の網が、安価に入手できることから好適に用いられる。網の目開きは、水を十分に通すだけの大きさがあり、網の目から植物が脱落しない程度に小さいことが好ましい。このようにすることで、植物が栽植マット１３に根を張る前の段階で、植物をより安定して保持することができ、植物がより根付き易くなるためである。このような保持網１２の具体例として、タキロン株式会社製のトリカルネット（登録商標）の、例えば品番Ｎ−１０（高密度ポリエチレン製、網目ピッチ６．４ｍｍ×６．４ｍｍ）を用いることができる。
【００２７】
栽植マット１３は、水分を保持して植物を乾燥から防ぐとともに、植物が根を張る基盤として機能する。したがって栽植マット１３は、耐水性があることに加えて、内部に水分を保持でき、植物が根を張るための空隙を有する、多孔質または繊維質の材料が用いられる。例えば、発泡ポリウレタン、発泡ポリエチレン、発泡ポリプロピレン、または発泡ポリイミド等の合成樹脂フォームや天然スポンジ、ミズゴケ、ココシート、コットン不織布等を用いることができる。この中でも合成樹脂フォームが、安価に入手できることから好適に用いられる。なお、環境への配慮から、再生樹脂フォームを用いたものが好ましい。このような栽植マット１３の具体例として、アキレス株式会社製のアキレスエアロン（登録商標）の、例えば品番ＬＸＳ、ＱＡ、ＳＢ、ＧＦＤ、ＦＭ等を用いることができる。
【００２８】
なお、平均気孔径や空隙率が大きいものほど植物が根を張りやすく、緻密なものほど保水力が高い。栽植マット１３の特性は、定着させる植物によって、適宜選択される。
【００２９】
[第１の実施形態による緑化パネル１０の製造方法]
次に、本発明の第１の実施形態に係る緑化パネル１０の製造方法を説明する。
【００３０】
支持板１１、保持網１２、栽植マット１３を、所定の大きさに切断する。緑化パネル１０の大きさは特に限定されないが、支持板１１の大きさは、例えば横幅５００ｍｍ×高さ５００ｍｍ×厚さ１ｍｍである。栽植マット１３の大きさは、支持板１１よりも一回り小さく、例えば横幅４８０ｍｍ×高さ４５０ｍｍ×厚さ１０ｍｍである。保持網１２の大きさは、栽植マット１３を覆うことができれば良く、例えば横幅５００ｍｍ×高さ４７０ｍｍ×厚さ１．２ｍｍである。
【００３１】
栽植マット１３を支持板１１の略中心に敷き、その上から保持網１２を被せる。そして、保持網１２の周縁部を支持板１１に固定する。
【００３２】
固定方法は特に限定されないが、例として、ホッチキス止めや鋲打機による固定、ミシン縫いによる固定、枠体で挟み込む等の方法を用いることができる。また、支持板１１と保持網１３との組み合わせによっては、熱融着や超音波熱融着を用いることができる。熱融着は、金型等を用いることにより、４辺を同時に短時間で融着でき、コストもかからないことから特に好適である。
【００３３】
なお、必ずしも保持網１３の周縁部の全周を支持板１１に固定する必要はないが、栽植マット１３が脱落しない程度に、支持板１１と保持網１３とが固定されていることが好ましい。したがって例えば、間隔を開けながら数か所のみを固定したり、四隅のみを固定したり、中央のみを固定したりする等しても栽植マット１３を保持し得る。
【００３４】
また、支持板１１と保持網１２が、十分な力で栽植マット１３を挟み込んでいることも好ましく、固定箇所をさらに少なくできる。例えば、対向する２辺の数か所を固定するだけでも、栽植マット１３を保持し得る。
【００３５】
あるいは、支持板１１と、保持網１２と、栽植マット１３とをまとめて固定すれば、固定箇所をさらに少なくできる。この場合、例えば一か所を固定するだけでも栽植マット１３を保持し得る。ただしこの場合は、詳しくは後述するが、保持網１２と栽植マット１３により植物を挟持できるように、または、栽植マット１３と支持板１１により植物を挟持できるように、固定箇所を決定することが好ましい。
【００３６】
[第１の実施形態による緑化パネル１０の使用方法]
次に、図４〜図６を参照して、本発明の第１の実施形態による緑化パネル１０の使用方法を説明する。図４は、本発明の第１の実施形態による緑化パネル１０の正面図であって、植物を配置する際の手順を説明するための図である。図５は、図４におけるＶ−Ｖ線に沿った断面図であって、植物１６を正面視において、（ａ）栽植マット１３の手前に配置した場合と、（ｂ）栽植マット１３の奥に配置した場合を示す図である。
【００３７】
まず、図４に示すように、緑化パネル１０の植物を配置させたい箇所に切り込み１５を入れ、その隙間から植物１６の根を挿入して配置する。図４では、切り込み１５の数が４本である場合を例示しているが、切り込み１５の数は任意である。また、切り込み１５の方向は任意であるし、直線である必要もない。
【００３８】
切り込み１５は、例えばカッター等で入れることができる。切り込み１５は、保持網１２のみに入れても良いし、保持網１２と栽植マット１３との両方に入れても良い。切り込み１５は、植物１６を配置する際に入れても良いし、緑化パネル１０として出荷する際に予め入れておいても良い。また、緑化パネル１０を組み立てる前に予め保持網１２や植栽マット１３に入れておいても良い。
【００３９】
切り込み１５を保持網１２のみに入れた場合は、図５（ａ）のように、植物１６の根は正面視で栽植マット１３の手前に配置され、保持網１２と栽植マット１３とによって挟持される。切り込み１５を保持網１２と栽植マット１３との両方に入れた場合は、図５（ｂ）のように、植物１６の根は正面視で栽植マット１３の奥に配置され、栽植マット１３と支持板１１とによって挟持される。
【００４０】
緑化パネル１０に配置される植物１６は、例えばハツユキカズラ、アキシラリス、モッコウバラ、ヘデラヘリックス、ヘデラカナリエンシス、テイカカズラ、コクリュウ、またはフイリヤブランである。
【００４１】
緑化パネル１０に配置された植物１６は、所定の環境下で育成される。これにより植物１６は、栽植マット１３に根を張り、緑化パネル１０に定着する。なお、図５では緑化パネル１０が直立している状態を示しているが、植物１６が定着するまでは、緑化パネル１０を寝かせた状態で、植物１６を育成しても良い。
【００４２】
図６は、本発明の第１の実施形態による緑化パネル１０を、壁面緑化装置９０に取り付けた状態を示す斜視図である。図６では、３行×３列の緑化パネル１０を取り付けた状態を示しているが、緑化パネル１０の数は任意である。
【００４３】
壁面緑化装置９０は、壁９１と、壁９１に固定された胴縁９２とを備える。図６では４本の胴縁９２を図示しているが、胴縁９２の数は任意である。胴縁９２は、例えばアルミニウムで構成され、所定の間隔をおいて整列している。図６では胴縁９２は水平に架設されているが、垂直または斜めに架設しても良く、これらを組み合わせても良い。壁面緑化装置９０はこの他に、図示しない灌水用ホースや、貯水槽、保護ネット、落ち葉等を受け止める受け皿等を備え得る。
【００４４】
植物１６を定着させた緑化パネル１０は、胴縁９２に固定される。固定は、支持板１１の取付領域１４に釘を打ったり、ねじを通したりすることで行う。特に、直接タッピングビスで固定することが簡便で好適である。緑化パネル１０と胴縁９２との両方において、予め加工を施しておく必要がないからである。
【００４５】
以上、本発明の第１の実施形態による緑化パネル１０の構成、製造方法、使用方法について説明した。本実施形態による緑化パネル１０によれば、支持板１１は緑化パネル１０を胴縁９２に取り付けるための取付領域１４を有する。これにより、緑化パネル１０を胴縁９２に簡単に取り付けることができる。また、支持板１１、栽植マット１３、および保持網１２はほとんど加工を要さない。これにより、緑化パネル１０は製造が容易で量産性に優れる。
【００４６】
［第２の実施形態］
図７は、本発明の第２の実施形態による緑化パネル２０の概略構成を示す断面図である。緑化パネル２０において、栽植マット１３は、支持板１１上に敷かれるシート１３１と、シート１３１上に積層され、植物の茎を通すための切り込み１５’を有するシート１３２とからなる。シート１３１とシート１３２は、同じ材料で形成されていても良いし、異なる材料で形成されていても良い。なお、保持網１２にも切り込み１５’と同じ位置に、植物の茎を通すための切り込み１５が設けられている。
【００４７】
図８は、本発明の第２の実施形態による緑化パネル２０に、植物１６を配置した状態を示す断面図である。植物１６の根は、シート１３１とシート１３２との間に配置される。
【００４８】
本実施形態による緑化パネル２０によれば、植物１６の根がシート１３１とシート１３２とに挟持されることによって、植物１６がより乾燥しにくくなるとともに、植物１６が根付き易くなる。
【００４９】
［第３の実施形態］
図９は、本発明の第３の実施形態による緑化パネル３０の概略構成を示す正面図である。緑化パネル３０においては、保持網１２は、互いに並行して配置された５つの短冊状の網片１２ａ〜１２ｅからなる。そして、緑化パネル３０の正面視左側の辺１７において、各網片１２ａ〜１２ｅと支持板１１とがそれぞれ固定されている。
【００５０】
図１０は、本発明の第３の実施形態による緑化パネル３０の使用状態を示す正面図である。緑化パネル３０では、図１０に示すように、網片１２ａ〜１２ｅのそれぞれをめくることによって、栽植マット１３の上に植物１６の根を配置することができる。この間、支持板１１と栽植マット１３とは仮止めされていても良い。
【００５１】
植物１６が配置された後、または壁面緑化装置９０に取り付ける直前に、緑化パネル３０の辺１７とは異なる残りの辺において、網片１２ａ〜１２ｅと支持板１１とを固定する。
【００５２】
本実施形態による緑化パネル３０によれば、植物１６を配置する際、図４に示した切り込み１５を入れる必要がない。互いに隣接する２つの網片の間に切り込みが形成されるからである。また、切り込み１５から植物１６の根を挿入するよりも作業性が良い。よって植物１６を配置する作業を、より効率的に行うことができる。
【００５３】
［第４の実施形態］
図１１は、本発明の第４の実施形態による緑化パネル４０の使用状態を示す正面図である。緑化パネル４０においても、保持網１２は、互いに並行して配置された５つの短冊状の網片１２ａ〜１２ｅからなる。これに加えて、栽植マット１３も、５つの短冊状の栽植マットの小片１３ａ〜１３ｅにより構成されている。
【００５４】
緑化パネル４０では、図１１に示すように、網片１２ａ〜１２ｅと栽植マットの小片１３ａ〜１３ｅのそれぞれをめくることによって、支持板１１の上に植物１６の根を配置することができる。
【００５５】
また、緑化パネル４０は、栽植マットの小片１３ａ〜１３ｅの下に、図示しない別の栽植マットを備えていても良い。この場合は、網片１２ａ〜１２ｅと栽植マットの小片１３ａ〜１３ｅのそれぞれをめくることによって、当該別の栽植マットの上に植物１６の根を配置することができる。
【００５６】
本実施形態による緑化パネル４０によっても、植物１６を配置する作業を、より効率的に行うことができる。
【００５７】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【００５８】
例えば、上述の実施形態では矩形板状の緑化パネルについて説明したが、緑化パネルは多角形、丸型、その他不定形状であっても構わない。
【産業上の利用可能性】
【００５９】
本発明は、壁面緑化装置に用いられる緑化パネルに利用可能である。
【符号の説明】
【００６０】
１０，２０，３０，４０  緑化パネル
１１  支持板
１２  保持網
１２ａ〜１２ｅ  網片
１３  栽植マット
１３１，１３２  シート
１３ａ〜１３ｅ  栽植マットの小片
１４  取付領域
１５，１５’  切り込み
１６  植物
９０  壁面緑化装置
９１  壁
９２  胴縁
【図１】
2012205529.tif 000003
【図２】
2012205529.tif 000004
【図３】
2012205529.tif 000005
【図４】
2012205529.tif 000006
【図５】
2012205529.tif 000007
【図６】
2012205529.tif 000008
【図７】
2012205529.tif 000009
【図８】
2012205529.tif 000010
【図９】
2012205529.tif 000011
【図１０】
2012205529.tif 000012
【図１１】
2012205529.tif 000013